(57)【要約】【課題】関連する個人情報を伝送されるビデオ−オーディオデータに書込み、該ビデオ−オーディオデータを開く時、同時に、ビデオ−オーディオ再生機構上にビデオ−オーディオデータ画面と個人情報が表示され、有効にビデオ−オーディオデータが不法にコピーされることを防止できるビデオ−オーディオ再生装置を提供する。【解決手段】複数のビデオ−オーディオデータを有するビデオ−オーディオデータ提供機構と、上記のビデオ−オーディオデータ提供機構に接続され、ビデオ−オーディオデータを伝送する時、同時に、関連する個人情報を書込める書込み機構と、上記の書込み機構に接続され、書込み機構に対して個人情報を提供し、また、必要とするビデオ−オーディオデータを受信し、少なくとも、画面ユニットと出力ユニットが備えられる表示モジュールがあり、該出力ユニットに、少なくとも、書込み機構から関連する関連情報が入力されるためのＩＤ領域とダウンロード時間場所領域があるビデオ−オーディオ再生機構と、が含有される。【選択図】図２
0003145656.tif 000002
【実用新案登録請求の範囲】
【請求項１】
複数のビデオ−オーディオデータを有するビデオ−オーディオデータ提供機構と、
上記のビデオ−オーディオデータ提供機構に接続され、ビデオ−オーディオデータを伝送する時、同時に、関連する個人情報を書込める書込み機構と、
上記の書込み機構に接続され、書込み機構に対して個人情報を提供し、また、必要とするビデオ−オーディオデータを受信し、少なくとも、画面ユニットと出力ユニットが備えられる表示モジュールがあり、該出力ユニットに、少なくとも、書込み機構から関連する関連情報が入力されるためのＩＤ領域とダウンロード時間場所領域があるビデオ−オーディオ再生機構と、が含有される、ことを特徴とするビデオ−オーディオ再生装置。
【請求項２】
該ビデオ−オーディオデータ提供機構は、ネットワークサーバーやパソコン或いはノートパソコンであることを特徴とする請求項１に記載のビデオ−オーディオ再生装置。
【請求項３】
該ビデオ−オーディオデータは、ＭＰＥＧやＡＶＩ、圧縮ファイル或いは動画ファイルであることを特徴とする請求項１に記載のビデオ−オーディオ再生装置。
【考案の詳細な説明】
【技術分野】
【０００１】
本考案は、ビデオ−オーディオ再生装置に関し、特に、関連する個人情報を、伝送されるビデオ−オーディオデータに書込み、該ビデオ−オーディオデータを開く時、同時に、ビデオ−オーディオ再生機構上に、ビデオ−オーディオデータ画面と個人情報が表示され、有効にビデオ−オーディオデータが不法にコピーされることを防止できるものに関する。
【背景技術】
【０００２】
一般として、マルチメディアからビデオ−オーディオをダウンロードする時、コンピュータ等の接続制御装置をインターネットを介して、関連するマルチメディアデータ提供サイトに接続し、ユーザーが、該マルチメディアデータ提供サイトから、必要とするマルチメディアデータを、コンピュータ接続制御装置にダウンロードして格納し、これにより、コンピュータ接続制御装置で、関連ソフトウェア／ハードウェアインターフェースに合わせて、該マルチメディアデータを出力するように制御できるだけでなく、必要とする再生（或いは格納）機構を、コンピュータ接続制御装置に、接続して、再生（或いは格納）機構で、コンピュータ接続制御装置に格納されるマルチメディアデータを捕獲でき、これにより、ユーザーが、再生（或格納）機構で、必要とするビデオ−オーディオマルチメディアデータを再生と格納できる。
【０００３】
それらのビデオ−オーディオマルチメディアデータがダウンロードされた後、それらのマルチメディアデータは、何れかのフォーマットで存在しても、そのデータに、設定済みの音声や画像データが含まれ、これにより、ユーザーが、取得したビデオ−オーディオマルチメディアデータを任意に再生や格納、焼付け或いは転送でき、そのため、不法にコピーされることを防止できない。
【０００４】
そのため、既存のマルチメディアデータ提供サイトは、ビデオ−オーディオデータをユーザーに伝送する時、該ビデオ−オーディオデータがダウンロードされた後不法にコピーされることを防止するため、それらのマルチメディアデータ提供サイトは、一般として、声紋で暗号化すること、或いは、直接に暗号化する方式で、それらのビデオ−オーディオデータを保護し、それらのビデオ−オーディオデータが暗号化されたが、それらの暗号化方式が、厳密ではないため、簡単に判読され、そのため、該暗号化により、ビデオ−オーディオデータが、不法にコピーされることを防止できない。
【０００５】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００６】
本考案の主な目的は、関連する個人情報を、伝送されるビデオ−オーディオデータに書込み、於該ビデオ−オーディオデータが開かれる時、同時に、ビデオ−オーディオ再生機構上にビデオ−オーディオデータ画面と個人情報を表示でき、有効にビデオ−オーディオデータが不法にコピーされることを防止できるビデオ−オーディオ再生装置を提供する。
【課題を解決するための手段】
【０００７】
本考案は、上記の目的を達成するため、複数のビデオ−オーディオデータを有するビデオ−オーディオデータ提供機構と、上記のビデオ−オーディオデータ提供機構に接続され、ビデオ−オーディオデータを伝送する時、同時に、関連する個人情報を書込める書込み機構と、上記の書込み機構に接続され、書込み機構に対して個人情報を提供し、また、必要とするビデオ−オーディオデータを受信し、少なくとも、画面ユニットと出力ユニットが備えられる表示モジュールがあり、該出力ユニットに、少なくとも、書込み機構から関連する関連情報が入力されるためのＩＤ領域とダウンロード時間場所領域があるビデオ−オーディオ再生機構と、が含有される、ビデオ−オーディオ再生装置である。
【考案を実施するための最良の形態】
【０００８】
図１と図２図は、それぞれ、本考案の基本構造概念図と本考案のブロック概念図である。図のように、本考案は、ビデオ−オーディオ再生装置であり、少なくとも、ビデオ−オーディオデータ提供機構１と書込み機構２及びビデオ−オーディオ再生機構３から構成され、関連する個人情報を、伝送するビデオ−オーディオデータに書込み、該ビデオ−オーディオデータが開かれる時、同時に、ビデオ−オーディオデータ画面と個人情報が表示され、有効に、ビデオ−オーディオデータが不法にコピーされることを防止できる。
【０００９】
上記のビデオ−オーディオデータ提供機構１は、複数のビデオ−オーディオデータ１１を有し、該ビデオ−オーディオデータ１１は、ＭＰＥＧやＡＶＩ、圧縮ファイル或いは動画ファイルであり、該ビデオ−オーディオデータ提供機構１は、ネットワークサーバーやパソコン或いはノートパソコンである。
【００１０】
該書込み機構２は、上記のビデオ−オーディオデータ提供機構１に接続され、ビデオ−オーディオデータ１１を伝送する時、同時に関連する個人情報を書込み、該書込み機構２は、パソコンと制御ユニット及び格納ユニットから構成される。
【００１１】
該ビデオ−オーディオ再生機構３は、パソコンやノートパソコン或いは電話やカメラ機能付きの電子設備で、上記の書込み機構２に接続され、個人情報を、書込み機構２に提供でき、また、必要とするビデオ−オーディオデータ１１を受信でき、表示モジュール３１が備えられ、該表示モジュール３１は、少なくとも、画面ユニット３２と出力ユニット３３が備えられ、該出力ユニット３３は、少なくとも、書込み機構２から入力される関連情報に対応するＩＤ領域３３１とダウンロード時間場所領域３３２、ボーナス領域３３３及び抽選当り領域３３４が含まれる。上記の構造により、新規のビデオ−オーディオ再生装置が構成される。
【００１２】
図３は、本考案の使用状態概念図である。図のように、本考案によれば（図２をともに参照すること）、該ビデオ−オーディオデータ提供機構１と書込み機構２及びビデオ−オーディオ再生機構３は、ＷｉＦｉやブルートゥースプロトコル或いは無線周波通信の方式で無線接続されるか、或いは導線で接続されて、有線接続される。
【００１３】
ユーザーが、必要とするビデオ−オーディオデータ１１をダウンロードする時、ビデオ−オーディオ再生機構３とビデオ−オーディオデータ提供機構１及び書込み機構２を接続して、関連する個人データを入力した後、ビデオ−オーディオデータ提供機構１で、関連ビデオ−オーディオデータ１１を選択してから、ダウンロードし、また、ダウンロードする時、ユーザーが接続する時に、入力された個人データと、ダウンロードする時の状況に基づいて、書込み機構２により、ビデオ−オーディオデータ１１に関連する個人情報を書込み、その後、ビデオ−オーディオデータ１１をビデオ−オーディオ再生機構３に伝送する。
【００１４】
ユーザーが該ビデオ−オーディオデータ１１を開く時、該ビデオ−オーディオ再生機構３は、表示モジュール３１に、画面ユニット３２と出力ユニット３３が表示され、該出力ユニット３３は、長尺枠状や四角枠状、幾何枠状或いは動画構造の方式により、常に表示モジュール３１に設置され、また、ＩＤ領域３３１に、ユーザーのＩＤ番号や身分コードが表示され、ダウンロード時間場所領域３３２に、ＩＰアドレスやビデオ−オーディオデータ１１のダウンロード回数が表示され、ボーナス領域３３３にボーナス累計が表示され、また、抽選当り領域３３４に、ビデオ−オーディオデータ提供機構１が提供した抽選番号が表示され、これにより、ユーザーが、ビデオ−オーディオデータ１１を開く時、同時に、ビデオ−オーディオデータ画面と個人情報が表示されるため、該ビデオ−オーディオデータ１１が、不法に配分されることを防止でき、有効にビデオ−オーディオデータ１１が不審者により不法にコピーされることを防止できる。
【００１５】
以上のように、本考案に係るビデオ−オーディオ再生装置は、有効に従来の諸欠点を解消でき、関連する個人情報を伝送するビデオ−オーディオデータに書込み、該ビデオ−オーディオデータが開かれる時、同時に、ビデオ−オーディオ再生機構にビデオ−オーディオデータ画面と個人情報が表示され、有効に、ビデオ−オーディオデータが不法にコピーされることを防止でき、そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の基本構造概念図
【図２】本考案のブロック概念図
【図３】本考案の使用状態概念図
【符号の説明】
【００１８】
１    ビデオ−オーディオデータ提供機構
１１  ビデオ−オーディオデータ
２    書込み機構
３    ビデオ−オーディオ再生機構
３１  表示モジュール
３２  画面ユニット
３３  出力ユニット
３３１  ＩＤ領域
３３２  ダウンロード時間場所領域
３３３  ボーナス領域
３３４  抽選当り領域
【図１】
0003145656.tif 000003
【図２】
0003145656.tif 000004
【図３】
0003145656.tif 000005